(57)【要約】【課題】高級脂肪酸カリウム塩を主剤とし、使用に適した粘度を有し、０℃で透明な液状を保ち、かつ石鹸本来のさっぱり感を有する透明液体洗浄剤組成物を提供する。【解決手段】脂肪酸組成がラウリン酸を５０質量％以上含有する高級脂肪酸１モルに対して水酸化カリウム１〜１．０１モルで反応して得られた高級脂肪酸カリウム塩（Ａ）の含有量が５〜３０質量％、アルキルヒドロキシスルホベタイン型両性界面活性剤（Ｂ）の含有量が１〜１０質量％であり、かつ（Ａ）：（Ｂ）の質量比が１：０．０５〜１であることを特徴としている。【選択図】なし【特許請求の範囲】
【請求項１】
脂肪酸組成がラウリン酸を５０質量％以上含有する高級脂肪酸１モルに対して水酸化カリウム１〜１．０１モルで反応して得られた高級脂肪酸カリウム塩（Ａ）の含有量が５〜３０質量％、アルキルヒドロキシスルホベタイン型両性界面活性剤（Ｂ）の含有量が１〜１０質量％であり、かつ（Ａ）：（Ｂ）の質量比が１：０．０５〜１である透明液体洗浄剤組成物。
【発明の詳細な説明】
【技術分野】
【０００１】
本発明は、ボディーソープ、洗顔料、ハンドソープ等に使用される液体洗浄剤組成物に関するものである。
【背景技術】
【０００２】
従来、洗浄剤組成物において泡立ちや泡質、すすぎ時のさっぱり感が好まれ、高級脂肪酸塩が広く用いられており、中でもラウリン酸カリウムなどのクラフト点の低いカリ石鹸を主体とした液体洗浄剤とするのが一般的である。
【０００３】
ラウリン酸カリウムを主体とするカリ石鹸を主剤とした液体洗浄剤は、一般的に低粘度であり、泡のキメが粗く、洗浄後にツッパリ感を生じるという欠点を有するが、低温安定性は好適であった。一方、ミリスチン酸カリウムやパルミチン酸カリウムなどを多く配合すると、ツッパリ感が軽減され泡のキメも細かくなり、ラウリン酸カリウムよりも粘度は高くなるが十分ではなく、低温で結晶を析出し易く、冬場白濁したり固化する傾向があった。
【０００４】
皮膚洗浄剤組成物は調製するにあたり、ポンプ容器からスポンジなどに採取したとき、粘度が低すぎると垂れ落ちたり、逆に粘度が高すぎてもポンプ容器から出なかったりすることから、製品の取り扱いを考慮し粘度を調整する必要があった。さらに、使用環境から組成物の低温安定性が必要であった。
【０００５】
特許文献１には、特定の脂肪酸組成で、かつ遊離脂肪酸を特定の割合で残すことにより、石鹸のみでも豊かでクリーミーな泡を与え、低温（０℃）安定性にも優れた液体身体洗浄剤組成物が記載されている。しかし、遊離脂肪酸は、人体における細菌性リパーゼによって皮脂の主成分であるトリグリセリドが分解されても産生し、遊離脂肪酸が毛包壁に対して、刺激性の炎症反応とそれに伴う過角化、面皰、角栓の形成を引き起こしニキビの原因となる物質であり、遊離脂肪酸が含まれた洗浄剤は、もともと角栓やニキビが出来易い肌の人が使用した場合、ただでさえ皮脂の中に遊離脂肪酸が多くなりがちな状態の人にとって角栓やニキビを悪化させる虞があり、粘度調整も十分にできないなどの欠点を有していた。
【０００６】
粘度を調整する方法としては、水溶性高分子などの増粘剤を添加する方法、処方中の固形分を増加させることで増粘させる方法、アニオン性界面活性剤と両性界面活性剤との間の静電相互作用で複合体を生成させて増粘させる方法がある（非特許文献１、特許文献２）。しかし、水溶性高分子を添加した場合、外観が透明でなかったり、糸引き性やヌルツキ感を生じたりする。固形分を増加させた場合、外観が透明でなかったり、低温で結晶を析出し易く、冬場白濁したり固化する虞があった。両性界面活性剤を配合した場合、特許文献２の記載からラウリン酸アミドプロピルベタインでは増粘効果は不良であり、アルキルジメチルアミノ酢酸ベタインでは増粘効果を示すが、外観や低温安定性については何ら言及されていなかった。
【０００７】
特許文献３には、高融点の脂肪酸を配合し、かつ遊離脂肪酸を特定の割合で併用し、さらにベタイン型両性界面活性剤又はアミンオキサイド系半極性界面活性剤を組合せることにより、豊かな泡立ちでクリーミーな泡を与え、低温（５℃）安定性に優れた液体身体洗浄剤組成物が得られることが記載されている。しかし、遊離脂肪酸による肌への影響や結晶の析出が懸念され、冬期の保存、使用を考慮すれば５℃より更に低温での安定性（透明性）が所望されていた。また、粘度に関して実施例では測定されていない。
【先行技術文献】
【特許文献】
【０００８】
【特許文献１】特開２００３−１６０４７０号公報
【特許文献２】特開平０９−１８３９９６号公報
【特許文献３】特開平０９−１５７１５４号公報
【非特許文献】
【０００９】
【非特許文献１】化粧品製造学（技術と実際）、FRAGRANCE JOURNAL 編集部編、２７６頁、フレグランスジャーナル社、2001年8月25日発行
【発明の概要】
【発明が解決しようとする課題】
【００１０】
アルキルジメチルアミノ酢酸ベタインは、カリ石鹸のみに対して配合した場合は顕著な増粘効果が得られず、特許文献２に記載の実施例では、増粘効果も有することが知られている高重合ポリエチレングリコール、脂肪酸アルカノールアミド、ジステアリン酸エチレングリコールも配合しており、この特定組成において増粘したものと考えられ、カリ石鹸に両性界面活性剤を配合して複合体が生成し増粘することについては定かでなかった。特許文献２に記載の洗浄剤組成物は配合した増粘効果成分により、石鹸本来のさっぱり感が得られなくなる。なお、ジステアリン酸エチレングリコールはパール感を有する不透明タイプに配合されるラスター剤でもある。特許文献３においても各種ベタイン型両性界面活性剤、アミンオキサイド系半極性界面活性剤による増粘効果については何ら言及されていなかった。
【００１１】
上述したように、皮膚洗浄剤組成物としては適度な粘度と、且つ冬期を考慮すれば５℃より更に低温の安定性が所望されていたが、カリ石鹸をベースとした場合、両性界面活性剤による増粘効果と０℃透明安定性については明らかにされておらず、これらを同時に満たし、且つ石鹸本来のさっぱり感を有する洗浄剤組成物に着目したものはこれまで無かった。
【００１２】
すなわち、本発明の目的は、高級脂肪酸カリウム塩を主剤とし、使用に適した粘度を有し、０℃で透明な液状を保ち、かつ石鹸本来のさっぱり感を有する透明液体洗浄剤組成物を提供することにある。
【課題を解決するための手段】
【００１３】
前記の目的を達成するために、本発明の透明液体洗浄剤組成物は、脂肪酸組成がラウリン酸を５０質量％以上含有する高級脂肪酸１モルに対して水酸化カリウム１〜１．０１モルで反応して得られた高級脂肪酸カリウム塩（Ａ）の含有量が５〜３０質量％、アルキルヒドロキシスルホベタイン型両性界面活性剤（Ｂ）の含有量が１〜１０質量％であり、かつ（Ａ）：（Ｂ）の質量比が１：０．０５〜１であることを特徴としている。
【発明の効果】
【００１４】
本発明の透明液体洗浄剤組成物は、使用に適した粘度を有し、０℃において透明な液状を保ち、石鹸本来のさっぱり感を有する。
【発明を実施するための形態】
【００１５】
以下に、本発明を詳細に説明する。
【００１６】
本発明で用いられる高級脂肪酸カリウム塩（Ａ）は、高級脂肪酸１モルに対して水酸化カリウム１〜１．０１モルで、典型的には３０〜９０℃に加温した水酸化カリウム水溶液に撹拌しつつ、３０〜９０℃に加温融解、又は固体であってもフレーク、ビーズ等の形態の高級脂肪酸を加え、中和反応して得られたものが用いられる。あるいは３０〜９０℃に加温融解した高級脂肪酸に撹拌しつつ、水酸化カリウム水溶液を加え、中和反応して得られたものが用いられる。なお、高級脂肪酸の平均分子量は、高級脂肪酸の中和価（日本油化学協会制定の基準油脂分析試験法に準拠）より換算し求めることができる。
【００１７】
高級脂肪酸１モルに対して水酸化カリウムが、１モル未満であると、高級脂肪酸が残存するため、低温で結晶が析出したり、さっぱり感を失う虞があり、１．０１モル超であると、アルカリ過剰のためｐＨが高くなり、脱脂力が強く肌が荒れるなど、皮膚刺激性や使用感が悪くなる虞がある。
【００１８】
高級脂肪酸は、脂肪酸組成がラウリン酸を５０質量％以上含有する。ラウリン酸が５０質量％未満であると、組成物は粘度が高くなり、ゲル化する虞があるとともに、０℃において透明な液状を保つことができなくなる虞があり、これらを回避するためには高級脂肪酸カリウム塩（Ａ）及びアルキルヒドロキシスルホベタイン型両性界面活性剤（Ｂ）の含有量を低減せざるを得なくなり、結果的に十分な洗浄効果を発揮できなくなる虞がある。
【００１９】
ラウリン酸以外の高級脂肪酸としては、炭素数１３〜１８の飽和又は不飽和の直鎖脂肪酸が挙げられ、これらは一種単独で使用しても二種以上を併用してもよい。具体的には、ミリスチン酸、パルミチン酸、ステアリン酸、オレイン酸が挙げられる。
【００２０】
高級脂肪酸の脂肪酸組成は、ラウリン酸５０〜８０質量％、ミリスチン酸１０〜５０質量％、パルミチン酸０〜３０質量％、ステアリン酸０〜５質量％、オレイン酸０〜９質量％であることが好ましい。
【００２１】
高級脂肪酸は、それぞれ高純度の単体脂肪酸を前記のような脂肪酸組成となるように混合して用いてもよく、例えば混合脂肪酸であるヤシ油脂肪酸をそのまま用いてもよく、あるいはヤシ油脂肪酸などの混合脂肪酸に適宜単体脂肪酸を加えて前記の脂肪酸組成となるようにして用いてもよい。混合脂肪酸を用いた場合、カプロン酸、カプリル酸、カプリン酸、アラキン酸、ヘキサデセン酸、リノール酸等が少量混ざってくることがあるが、本発明の効果を損わない範囲であるならば構わない。
【００２２】
本発明の透明液体洗浄剤組成物中、高級脂肪酸カリウム塩（Ａ）の含有量は、５〜３０質量％である。高級脂肪酸カリウム塩（Ａ）の含有量が、５質量％未満であると使用に適した粘度を有し、０℃において透明な液状を保ち、石鹸本来のさっぱり感を有する組成物が得られない虞があり、３０質量％超であると低温で結晶が析出する虞がある。
【００２３】
本発明で用いられるアルキルヒドロキシスルホベタイン型両性界面活性剤（Ｂ）としては、次の式（I）で表わされる化合物が挙げられる。
【００２４】
【化１】
2015196713.tif 000002
【００２５】
（式中、Ｒ1は炭素数１０〜１８の直鎖のアルキル基、Ｒ2及びＲ3はそれぞれ独立に炭素数１〜３の直鎖のアルキル基を示す。）
具体的には、例えば、ラウリル−Ｎ，Ｎ−ジメチル−２−ヒドロキシプロピルスルホベタイン、ミリスチル−Ｎ，Ｎ−ジメチル−２−ヒドロキシプロピルスルホベタイン、パルミチル−Ｎ，Ｎ−ジメチル−２−ヒドロキシプロピルスルホベタイン、ラウリル−Ｎ，Ｎ−ジエチル−２−ヒドロキシプロピルスルホベタイン、ミリスチル−Ｎ，Ｎ−ジエチル−２−ヒドロキシプロピルスルホベタイン、パルミチル−Ｎ，Ｎ−ジエチル−２−ヒドロキシプロピルスルホベタイン等が挙げられる。
【００２６】
本発明の透明液体洗浄剤組成物中、アルキルヒドロキシスルホベタイン型両性界面活性剤（Ｂ）の含有量は、１〜１０質量％である。アルキルヒドロキシスルホベタイン型両性界面活性剤（Ｂ）の含有量が、１質量％未満であると十分な増粘効果が得られず、使用に適した粘度を有する組成物が得られない虞があり、１０質量％超であると粘度が高くなり過ぎたり、石鹸本来のさっぱり感を有する組成物が得られない虞がある。
【００２７】
本発明の透明液体洗浄剤組成物は、透明液体洗浄剤組成物中、高級脂肪酸カリウム塩（Ａ）の含有量が５〜３０質量％、アルキルヒドロキシスルホベタイン型両性界面活性剤（Ｂ）の含有量が１〜１０質量％であり、かつ高級脂肪酸カリウム塩（Ａ）とアルキルヒドロキシスルホベタイン型両性界面活性剤（Ｂ）との質量比（Ａ：Ｂ）は、１：０．０５〜１である。高級脂肪酸カリウム塩（Ａ）とアルキルヒドロキシスルホベタイン型両性界面活性剤（Ｂ）を前記のような組成と比率で含有することで、使用に適した粘度を有し、２５℃における粘度を１００〜１００００ｍPa・sに制御することができる。更に０℃において透明な液状を安定に保ち、石鹸本来のさっぱり感も有する。アルキルヒドロキシスルホベタイン型両性界面活性剤（Ｂ）の割合が０．０５未満であると、十分な増粘効果が得られない虞がある。一方、１超であると、増粘し過ぎたり、カリ石鹸本来のさっぱり感を失い、べとつき感を生じたり、泡立ちなどの使用感が悪くなる虞がある。
【００２８】
本発明の透明液体洗浄剤組成物には、通常、化粧品や医薬品の洗浄剤に用いられる成分を配合することができる。かかる成分としては、例えば、アニオン界面活性剤、両性界面活性剤、非イオン界面活性剤、カチオン界面活性剤、油分、高級アルコール、保湿剤、粘度調整剤、泡安定化剤、スクラブ剤、清涼剤、殺菌剤、角栓溶解剤、紫外線吸収剤、酸化防止剤、防腐剤、ｐＨ調整剤、金属イオン封鎖剤、ビタミン類、消毒剤、消炎剤、美白剤、各種抽出物、色素、香料等が挙げられ、一種又は二種以上を本発明の効果を損なわない範囲で適宜配合することができる。
【００２９】
アニオン界面活性剤としては、アルキル硫酸塩、アルキルエーテル硫酸塩、アルキルリン酸塩、アルキルエーテルリン酸塩、アルキルエーテル酢酸塩等、両性界面活性剤としては、アミノ酢酸ベタイン、アミドプロピルベタイン、イミダゾリニウムベタイン等、非イオン界面活性剤としては、アルキルグルコシド、脂肪酸アルカノールアミド、アルキルジメチルアミンオキサイド、ポリオキシエチレン脂肪酸多価アルコールエステル、脂肪酸多価アルコールエステル、ポリオキシエチレンアルキルエーテル等、油分としては、アボガド油、マカデミアナッツ油、トウモロコシ油、オリーブ油、ナタネ油、月見草油、ヒマシ油、ヒマワリ油、茶実油、コメヌカ油、ホホバ油、カカオ脂、ヤシ油、スクワレン、牛脂、ラノリン、流動パラフィン、パルミチン酸イソプロピル、パルミチン酸エチルヘキシル等のエステル油等、高級アルコールとしては、カプリルアルコール、ラウリルアルコール、ミリスチルアルコール、セチルアルコール、コレステロール、フィトステロール等、保湿剤としては、ポリエチレングリコール、プロピレングリコール、ジプロピレングリコール、１，２−ペンタンジオール、１，３−ブタンジオール、グリセリン、ソルビトール、キシリトール、マルチトール、ムコ多糖、ヒアルロン酸、コンドロイチン硫酸、キトサン、乳酸ナトリウム等、泡安定化剤としては、アルギン酸ナトリウム、ペクチン等、粘度調整剤としては、メチルセルロース、エチルセルロース、ヒドロキシプロピルメチルセルロース、ヒドロキシエチルセルロース、カルボキシメチルセルロース、アラビアガム、ポリビニルアルコール等の水溶性高分子、スクラブ剤としては、架橋ポリアクリル酸ナトリウム等、清涼剤としては、Ｌ−メントール、カンフル等、殺菌剤としては、トリクロサン、塩化ベンザルコニウム、イソプロピルメチルフェノール等、角栓溶解剤としては、クエン酸ナトリウム、脂肪酸Ｎ−メチルタウリン塩、脂肪酸アルギニン塩等、紫外線吸収剤としては、ベンゾフェノン系、ＰＡＢＡ系、アントラニル酸系、ケイ皮酸系、サリチル酸系、ベンゾフェノン系、トリアジン系等、酸化防止剤としては、トコフェロール類、ジブチルヒドロキシトルエン、ブチルヒドロキシアニソール、没食子酸エステル類等、防腐剤としては、パラオキシ安息香酸エステル（メチルパラベン、エチルパラベン、ブチルパラベン）、１，２−アルカンジオール（炭素鎖長６〜１４）及びその誘導体、フェノキシエタノール、安息香酸ナトリウム等、ｐＨ調整剤としては、乳酸、クエン酸、コハク酸等、金属イオン封鎖剤としては、１−ヒドロキシエタン−１，１−ジフォスホン酸、１−ヒドロキシエタン−１，１−ジフォスホン酸四ナトリウム塩、エデト酸二ナトリウム、エデト酸三ナトリウム、エデト酸四ナトリウム、ポリリン酸ナトリウム、メタリン酸ナトリウム、グルコン酸、リン酸、クエン酸、アスコルビン酸、コハク酸、エデト酸、エチレンジアミンヒドロキシエチル三酢酸３ナトリウム等、ビタミン類としては、ビタミンＡ、Ｂ１、Ｂ２、Ｂ６、Ｃ、Ｅ及びその誘導体、パントテン酸及びその誘導体、ビオチン等、消毒剤としては、グルコン酸、クロルヘキシジン、ポリヘキサメチレンビグアニド塩酸塩等のビグアニジン系化合物、塩化ベンザルコニウム、ジデシルジメチルアンモニウムクロライド、塩化ベンゼトニウム等の第４級アンモニウム塩、塩酸アルキルジアミノエチルグリシン、ナトリウムアルキルジアミノエチルグリシン等のグリシン系両性界面活性剤、消炎剤としては、グリチルリチン酸誘導体、グリチルレチン酸誘導体、サリチル酸誘導体、ヒノキチオール、アラントイン等、美白剤としては、ユキノシタ抽出物、アルブチン等、各種抽出物としては、オウバク、オウレン、シコン、シャクヤク、センブリ、バーチ、セージ、ビワ、ニンジン、アロエ、ゼニアオイ、アイリス、ブドウ、ヨクイニン、ヘチマ、ユリ、サフラン、センキョウ、ショウキョウ、オトギリソウ、オノニス、ニンニク、トウガラシ、チンピ、トウキ、海藻等、色素としては、ニトロ系色素、アゾ染料、ニトロソ染料、トリフェニルメタン染料、キサンテン染料、キノリン染料、アントラキノン染料、インジゴ染料等の有機色素、フェロシアン化合物、硫化物、金属酸化物、ケイ酸塩、リン酸塩等の無機色素、カロチノイド系色素、フラボノイド系色素、フラビン系色素、キノン系色素、ポリフィリン系色素、ジケトン化合物、ベタシアニジン系色素等の天然色素や蛍光染料、香料としては、抽出物、精油、レシノイド、樹脂、花香油及びそれらの組み合わせなどの天然物質である香料成分を含む香料が挙げられる。
【００３０】
本発明の透明液体洗浄剤組成物は、高級脂肪酸カリウム塩（Ａ）、アルキルヒドロキシスルホベタイン型両性界面活性剤（Ｂ）、所定量の水、必要に応じてその他の成分を添加し、２５〜９０℃で撹拌し均一にすることにより、透明液体の洗浄剤組成物を得ることができる。なお、低温安定性及び皮膚に対する刺激性の点から、２５℃における５質量％水溶液のｐＨが９．０〜１２．０になるよう調整することが好ましく、９．５〜１１．０になるよう調整することがより好ましい。
【００３１】
本発明の透明液体洗浄剤組成物は、使用に適した粘度を有し、０℃において透明な液状を保ち、石鹸本来のさっぱり感を有することから、香粧品等に好適であり、ボディーソープ、洗顔料、ハンドソープ等に用いることができる。
【実施例】
【００３２】
次に本発明について実施例をもって詳細に説明するが、本発明はこれにより限定されるものではない。
【００３３】
表１〜表３に示す組成比で洗浄剤組成物を製造し、粘度・増粘効果、０℃透明安定性、泡立ち、さっぱり感について評価した。結果を表１〜表３に示す。
（１）粘度・増粘効果
実施例及び比較例の洗浄剤組成物について、ＢＭ型粘度計（東機産業（株）製）を用いて、測定条件は各粘度に応じてローターＮｏ．Ｍ１〜Ｍ４、及び回転数６、１２、３０、６０ｒｐｍより適宜選択し、２５℃における粘度を測定した。増粘効果の判断基準は以下の通りである。
○：100〜10000ｍPa・s
×：100ｍPa・s未満又は、10000ｍPa・s超
【００３４】
（２）０℃透明安定性
実施例及び比較例の洗浄剤組成物をガラス瓶に充填し、０℃で１ヶ月静置したときの外観について、下記に示す判断基準により評価を行った。
○：透明液状
×：白濁又は、結晶化、ゲル化有り
【００３５】
（３）泡立ち
実施例及び比較例の洗浄剤組成物について、２０倍希釈水溶液を調製し、５００ｍＬの共栓付きメスシリンダーに５０ｍＬ入れ、４０℃に保温後、栓をしたメスシリンダーを２０回上下に振とうし、１０秒間静置後の泡立ちを測定し、下記に示す判断基準により評価を行った。
◎：２６０ｍｍ超
○：２３０〜２６０ｍｍ
△：２３０ｍｍ未満
【００３６】
（４）さっぱり感
１０名の専門パネルにより、実施例及び比較例の洗浄剤組成物を使用し、使用時のさっぱり感について官能評価した。評価基準は以下の通りである。
◎：さっぱりすると答えた被験者の数が７人以上
○：さっぱりすると答えた被験者の数が５人以上、７人未満
×：さっぱりすると答えた被験者の数が５人未満
【００３７】
【表１】
2015196713.tif 000003
【００３８】
【表２】
2015196713.tif 000004
【００３９】
【表３】
2015196713.tif 000005
【００４０】
表１〜表３より明らかなように、高級脂肪酸カリウム塩（Ａ）に対して、アルキルヒドロキシスルホベタイン型両性界面活性剤（Ｂ）を配合することにより顕著に増粘し、使用に適した粘度に調整し得ることが認められた。
【００４１】
高級脂肪酸１モルに対して、水酸化カリウム１〜１．０１モルで反応して得られた高級脂肪酸カリウム塩（Ａ）を用いることにより、０℃において透明な液状を保つことが認められた。
【００４２】
すなわち、本発明の透明液体洗浄剤組成物は、使用に適した粘度を有し、０℃において透明な液状を保ち、かつ石鹸本来のさっぱり感を有する。
【００４３】
洗浄剤組成物の好適な処方例を次に示す。
【００４４】
洗浄剤組成物の原料には下記原料を使用した。
【００４５】
高級脂肪酸カリウム塩１
高級脂肪酸（ラウリン酸６０質量％、ミリスチン酸２５質量％、パルミチン酸１０質
量％、ステアリン酸５質量％）の水酸化カリウム１００モル％中和物
高級脂肪酸カリウム塩２
高級脂肪酸（ラウリン酸５５質量％、ミリスチン酸３０質量％、パルミチン酸１０質
量％、ステアリン酸５質量％）の水酸化カリウム１００モル％中和物
高級脂肪酸カリウム塩３
高級脂肪酸（ラウリン酸６７質量％、ミリスチン酸２３質量％、パルミチン酸１０質
量％）の水酸化カリウム１００モル％中和物
アルキルヒドロキシスルホベタイン型両性界面活性剤１
ラウリル−Ｎ，Ｎ−ジメチル−２−ヒドロキシプロピルスルホベタイン、ミヨシ油脂
（株）「アンホレックスＬＳＢ」
非イオン界面活性剤１
ヤシ油脂肪酸ジエタノールアミド、ミヨシ油脂（株）「アミコールＣＤＥ−1」
非イオン界面活性剤２
ポリオキシエチレンヤシ油脂肪酸グリセリル、ミヨシ油脂（株）「Ｍファインオイル
ＣＯＧ-７Ｍ」
保湿剤１
グリセリン、ミヨシ油脂（株）「化粧用濃グリセリン」
保湿剤２
プロピレングリコール、（株）ＡＤＥＫＡ「化粧用プロピレングリコール」
【００４６】
以下、処方中の原料は質量部（有効分）で表す。
【００４７】
（処方例１：ボディーソープ１）
高級脂肪酸カリウム塩１                                        ２０質量部
アルキルヒドロキシスルホベタイン型両性界面活性剤１              ５質量部
保湿剤１                                                        ５質量部
防腐剤（フェノキシエタノール）                              ０．１質量部
金属イオン封鎖剤（エデト酸４Na）                            ０．２質量部
清涼剤（Ｌ−メントール）                                          適宜
香料                                                              適宜
精製水                                            残余（全量１００質量部）
【００４８】
上記の各成分を配合し、洗浄剤組成物（ボディーソープ）を調製した。
【００４９】
このボディーソープは、使用に適した粘度を有し、０℃において透明な液状を保ち、石鹸本来のさっぱり感を有していた。
【００５０】
（処方例２：ボディーソープ２）
高級脂肪酸カリウム塩１                                        ２５質量部
アルキルヒドロキシスルホベタイン型両性界面活性剤１              ３質量部
非イオン界面活性剤１                                            ２質量部
保湿剤１                                                        ５質量部
防腐剤（パラオキシ安息香酸エステル）                        ０．１質量部
金属イオン封鎖剤（エデト酸４Na）                            ０．２質量部
香料                                                              適宜
精製水                                            残余（全量１００質量部）
【００５１】
上記の各成分を配合し、洗浄剤組成物（ボディーソープ）を調製した。
【００５２】
このボディーソープは、使用に適した粘度を有し、０℃において透明な液状を保ち、石鹸本来のさっぱり感を有していた。
【００５３】
（処方例３：洗顔料１）
高級脂肪酸カリウム塩２                                        ２５質量部
アルキルヒドロキシスルホベタイン型両性界面活性剤１              ５質量部
保湿剤１                                                      １０質量部
金属イオン封鎖剤（ヒドロキシエタンジフォスホン酸４Na）      ０．２質量部
角栓溶解剤（クエン酸ナトリウム）                                  適宜
香料                                                              適宜
精製水                                            残余（全量１００質量部）
【００５４】
上記の各成分を配合し、洗浄剤組成物（洗顔料）を調製した。
【００５５】
この洗顔料は、使用に適した粘度を有し、０℃において透明な液状を保ち、石鹸本来のさっぱり感を有していた。
【００５６】
（処方例４：洗顔料２）
高級脂肪酸カリウム塩２                                        ２０質量部
アルキルヒドロキシスルホベタイン型両性界面活性剤１              ５質量部
非イオン界面活性剤２                                            ５質量部
保湿剤１                                                      １０質量部
金属イオン封鎖剤（エデト酸４Na）                            ０．２質量部
香料                                                              適宜
精製水                                            残余（全量１００質量部）
【００５７】
上記の各成分を配合し、洗浄剤組成物（洗顔料）を調製した。
【００５８】
この洗顔料は、使用に適した粘度を有し、０℃において透明な液状を保ち、石鹸本来のさっぱり感を有していた。
【００５９】
（処方例５：ハンドソープ）
高級脂肪酸カリウム塩３                                        ２５質量部
アルキルヒドロキシスルホベタイン型両性界面活性剤１              ５質量部
保湿剤２                                                      １０質量部
金属イオン封鎖剤（エデト酸４Na）                            ０．２質量部
殺菌剤（トリクロサン）                                            適宜
香料                                                              適宜
精製水                                            残余（全量１００質量部）
【００６０】
上記の各成分を配合し、洗浄剤組成物（ハンドソープ）を調製した。
【００６１】
このハンドソープは、使用に適した粘度を有し、０℃において透明な液状を保ち、石鹸本来のさっぱり感を有していた。